(57)【要約】【課題】オーバーヘッドプロジェクタにセットして画像を投影する液晶表示装置をローコストに提供する。【解決手段】液晶表示装置２は、装置本体３と、バックライトユニット４と、スタイラスペン５とからなる。装置本体３にはＬＣＤパネル８、タッチパネル９、操作ボタン１１ａ〜ｃが設けられている。バックライトユニット４は装置本体３に対して着脱自在であり、光源及び導光板が内蔵されている。バックライトユニット４を装置本体３から取り外すと、開口部２４からＬＣＤパネル８の背面側が露呈する。【選択図】        図１
2004325658.tif 000002
【特許請求の範囲】
【請求項１】
透過型の液晶ディスプレイパネルと、光源と、前記液晶ディスプレイパネルの背面側に配置され、前記光源から入射した光を反射させて前記液晶ディスプレイパネルへ面状に光を射出する導光板とを備えた液晶表示装置において、
前記光源及び前記導光板からなるバックライトユニットを、前記液晶ディスプレイパネルを内蔵した装置本体に対して着脱自在とするとともに、この装置本体から前記バックライトユニットを取り外したときに前記液晶ディスプレイパネルの背面側を露呈させる開口部を前記装置本体に形成することを特徴とする液晶表示装置。
【請求項２】
前記装置本体に、入力操作を行うための入力手段と、前記入力手段による入力操作に基づいて前記液晶ディスプレイパネルに画像を表示させる画像表示制御手段とを設けていることを特徴とする請求項１記載の液晶表示装置。
【請求項３】
前記液晶ディスプレイパネルは、狭視野角型の液晶ディスプレイからなることを特徴とする請求項１または２記載の液晶表示装置。
【発明の詳細な説明】
【０００１】
【発明の属する技術分野】
本発明は、液晶ディスプレイに画像や情報などを表示する液晶表示装置に関するものである。
【０００２】
【従来の技術】
最近では、液晶ディスプレイ（ＬＣＤ）パネルの低コスト化、高性能化が実現されたことから、液晶表示装置が急速に普及し、様々な目的で使用されるようになっている。このような液晶表示装置では、パーソナルコンピュータと接続して画像を表示させたり、また装置本体にタッチパネルなどの入力手段が設けられ、この入力手段からの入力によって、各種情報や画像を表示したりする。
【０００３】
一方、液晶表示装置の利用方法としては、オーバーヘッドプロジェクタにセットして画像を拡大投影することがある。例えば特許文献１に示すようなオーバーヘッドプロジェクタでは従来、透明シートに手書きで記入した原稿をステージ上にセットして、それをスクリーンへ投影していたが、上述したような液晶表示装置の普及から、透明シートの原稿の代わりに液晶表示装置を用いることが多くなっている。そこで、特許文献２〜４に示すような、オーバーヘッドプロジェクタに用いる液晶表示装置では、透過型のＬＣＤパネルを備えており、ステージ上にＬＣＤパネルの位置を合わせるようにセットされ、ステージの下方に設けられた光源からＬＣＤパネルが照明され、ＬＣＤパネルを透過した照明光をステージの上方に設けられた投影ヘッドに集光してスクリーンへ投影する。
【０００４】
【特許文献１】
特開２０００−１０５４１３号公報
【特許文献２】
特開平１１−２１９１３２号公報
【特許文献３】
特開平９−２１１４１３号公報
【特許文献４】
特開平８−５４５９１号公報
【０００５】
【発明が解決しようとする課題】
しかしながら、上記特許文献２〜４では、オーバーヘッドプロジェクタの光源からの照明光が、液晶表示装置のＬＣＤを透過することができるように、オーバーヘッドプロジェクタ専用の、ＬＣＤの両面側が外部に露呈された液晶表示装置を用いなければならなかったが、このような専用の液晶表示装置をわざわざ用意して利用することは効率が悪い。さらに、最近では、パーソナルコンピュータや、携帯情報端末装置など、ＬＣＤを備えた電子機器が多く、それらの電子機器の他に、さらにオーバーヘッドプロジェクタ専用の液晶表示装置を購入するのは、一般的なユーザーではコスト的に問題があり、気軽に使用できるものではなかった。また、上記特許文献２〜４では、液晶表示装置に表示される画像の入力操作については詳しい記載がなく、様々な画像を表示したり、文字や図形を入力して即座に表示することなどは考えられていない。
【０００６】
本発明は上記事情を考慮してなされたものであり、オーバーヘッドプロジェクタにセットして画像を投影し、かつ様々な画像を液晶ディスプレイに表示して投影することを可能とし、さらに操作性に優れた液晶表示装置をローコストに提供することを目的とする。
【０００７】
【課題を解決するための手段】
上記問題点を解決するために、本発明の液晶表示装置は、透過型の液晶ディスプレイパネルと、光源と、前記液晶ディスプレイパネルの背面側に配置され、前記光源から入射した光を反射させて前記液晶ディスプレイパネルへ面状に光を射出する導光板とを備えた液晶表示装置において、前記光源及び前記導光板からなるバックライトユニットを、前記液晶ディスプレイパネルを内蔵した装置本体に対して着脱自在とするとともに、この装置本体から前記バックライトユニットを取り外したときに前記液晶ディスプレイパネルの背面側を露呈させる開口部を前記装置本体に形成している。
【０００８】
なお、前記装置本体に、入力操作を行うための入力手段と、前記入力手段による入力操作に基づいて前記液晶ディスプレイパネルに画像を表示させる画像表示制御手段とを設けていることが好ましく、前記入力手段は、前記液晶ディスプレイパネルの前面側に位置するタッチパネルから構成されることがさらに好ましい。また、前記液晶ディスプレイパネルは、狭視野角型の液晶ディスプレイからなることも本発明においては非常に効果的である。
【０００９】
【発明の実施の形態】
図１及び図２は、本実施形態を適用した液晶表示装置２を示す外観斜視図である。なお、この液晶表示装置２は、個人のスケジュール管理、電子アドレス帳などの機能を持ついわゆる携帯情報端末装置（ＰＤＡ；Ｐｅｒｓｏｎａｌ  Ｄｉｇｉｔａｌ  Ａｓｓｉｓｔａｎｔｓ）としても使用されるものであり、あるいは、キーボードなどを必要とせず、主にペン入力で操作を行う携帯型パーソナルコンピュータとして使用されるものでもよい。液晶表示装置２は、装置本体３と、この装置本体３に対して着脱自在に取り付けられるバックライトユニット４と、装置本体３への入力を行うためのスタイラスペン５とからなる。
【００１０】
装置本体３には、図３に示すように、液晶ディスプレイ（ＬＣＤ）パネル８、及びこのＬＣＤパネル８の前面側にタッチパネル９が積層して設けられている。このＬＣＤパネル８及びタッチパネル９は、装置本体３の前面中央に形成された露呈窓１０から外部に露呈している。この露呈窓１０の側方部には、操作ボタン１１ａ〜ｃが設けられている。また、装置本体３には、各種電気部品の制御を全体的に行うＣＰＵ１２（図４参照）を含む制御部１３が形成された回路基板１４と、電源としてのバッテリ１５とが内蔵されている。
【００１１】
ＬＣＤパネル８としては、周知の透過型、且つ狭視野角型のものが用いられている。この狭視野角型のＬＣＤパネル８は、例えば、各液晶セルに光放射角制限フイルタが付加されたものである。この構成によって、ＬＣＤパネル８に対して垂直方向、又は垂直方向に近い角度から見た場合には、ＬＣＤパネル８に表示された画像を視認することができるが、それ以外の方向から見た場合には、その表示を認識できない。そしてこのＬＣＤパネル８には、各種アプリケーションソフトウェアの操作、及び各種処理に伴う画像、各種データを示す文字や画像などが表示される。また、ＬＣＤパネル８と回路基板１４とは、フレキシブル基板１６を介して接続されている。
【００１２】
タッチパネル９は、周知のものと同様の構成であり、詳しい図示は省略するが、透過性を有する２枚の電極部材と、この電極部材の間に隙間を形成するためのスペーサと、電極部材及び制御部１３に接続され、電極部材へ電源を供給するとともに、電極部材間に通電が行われたときの位置、及び電流値を信号として制御部１３へ出力するフレキシブル基板とから構成されており、スタイラスペン５又は指などからの押圧を受けたときに電極部材同士が接触し、その部分に通電が行われ、さらに押圧力の強さによって、通電する電流値が変化する。これによって、ペン又は指で押圧した位置及び押圧力の強弱に応じた電流値が制御部１３に送られるので、ＬＣＤパネル８に表示されたメニュー及びアイコンの操作や、文字あるいは図形などの入力を行うことができる。なお、タッチパネル９は、ＬＣＤパネル８と重なる電極部材の部分が、透明な樹脂で形成されており、ＬＣＤパネル８に表示された画像や各種情報がタッチパネル９を透過して、露呈窓１０から露呈する。
【００１３】
バックライトユニット４は、詳しくは図３に示すように、光源１７、導光板１８、リフレクタ１９、ケーシング２０、及び予備バッテリ２１からなり、光源１７を導光板１８の側方部に配置する周知のエッジライト方式のバックライトを構成している。光源１７としては、例えば陰極蛍光ランプ、又は発光ダイオードを用いる。この光源１７の周りを囲むようにリフレクタ１９は配置されており、光源１７から照射された光を集めて、導光板１８の一方の側端面１８ａから入射させる。
【００１４】
導光板１８は、ＬＣＤパネル８の背面側に位置し、かつＬＣＤパネル８に対して平行に配置される。この導光板１８は、材料にポリメチルメタクリレート（ＰＭＭＡ）樹脂などを用いた射出成形によって、略矩形板状の片面又は両面に多数のコーンカット型凹部、あるいはＶ字型の溝などが形成されている。光源１７から照射された光が導光板１８の側端面１８ａから入射すると、凹部又は溝で反射して、ＬＣＤパネル８に対面する前面１８ｂから面状に射出する。この導光板１８から面状に射出された光が、ＬＣＤパネル８の全体に均一に入射するので、ＬＣＤパネル８に表示された画像等をムラなく視認することができる。また予備バッテリ２１は、装置本体３に内蔵されたバッテリ１５が空状態となったときに使用され、各種電気部品に電源を供給するためのものであり、薄型のシート状バッテリなどが用いられる。
【００１５】
上述した光源１７、導光板１８、及びリフレクタ１９、予備バッテリ２１は、ケーシング２０に固定されることによってバックライトユニット４となる。ケーシング２０は、中央前面に導光板１８が嵌め込まれる開口部２０ａが形成され、導光板１８の側方部に光源１７及びリフレクタ１９が固定され、導光板１８の背面側に予備バッテリ２１が固定されている。ケーシング２０の両側端面２０ｂ、２０ｃには、側方部へ突出する矩形断面の突条部２２ａ，２２ｂが一体に形成されている。
【００１６】
図２に示すように、装置本体３には、バックライトユニット４に合わせた略矩形状の開口部２４が形成されている。開口部２４は、装置本体３の上面から背面側に連続するように形成されており、バックライトユニット４を取り外したときには、この開口部２４からＬＣＤパネル８の背面側が露呈された状態となる。そして、開口部２４の両側方部２４ａ，２４ｂには、上方から下方まで連続して直線状に形成されたスリット２５ａ，２５ｂが形成されている。このスリット２５ａ，２５ｂには、バックライトユニット４の突条部２２ａ，２２ｂが係合する。
【００１７】
また、開口部２４の底面２４ｃの中央部には、接続コネクタ２６が設けられている。この接続コネクタ２６は、開口部２４にバックライトユニット４が装着されたとき、バックライトユニット４の底面部に設けられた接続端子２７に嵌合して、装置本体３とバックライトユニット４とを電気的に接続する。装置本体３とバックライトユニット４とが電気的に接続されることによって、バックライトユニット４は、装置本体３から電源が供給され、光源１７の発光が可能となるとともに、その発光する光量の大きさが装置本体２に設けられた制御部１３によって制御される。
【００１８】
バックライトユニット４を装置本体３に装着するときには、装置本体３の上方部から、スリット２５ａ，２５ｂに沿って突条部２２ａ，２２ｂを挿入する。そして、スリット２５ａ，２５ｂに突条部２２ａ，２２ｂが係合するとともに、接続端子２７が接続コネクタ２６に嵌合することによって、バックライトユニット４は、装置本体３の所定位置に装着された状態となり、ＬＣＤパネル８を背面側から照射することが可能となる。なお、バックライトユニット４を装置本体３から取り外すときには、装着するときには逆に、スリット２５ａ，２５ｂに沿ってバックライトユニット４を引っ張り、装置本体３の上方部から引き抜くようにして取り外す。
【００１９】
図４は、この液晶表示装置２の制御部１３を含む電気的構成を示すブロック図である。この図４において、ＣＰＵ１２には、ＬＣＤパネル８がＬＣＤドライバ３１を介して接続されており、さらに、ユーザーが入力する各種個人データなどが記録されるＲＡＭ３４、液晶表示装置２の各種アプリケーションソフトウェアが記録されているＲＯＭ３５，操作ボタン１１ａ〜ｃやタッチパネル９からなる入力部３６、バッテリ１５、接続コネクタ２６がそれぞれ接続されている。なお、この図４においては、上述した接続コネクタ２６と接続端子２７とが接続された状態を示しており、これら接続コネクタ２６及び接続端子２７を介して、光源１７、及び予備バッテリ２１もＣＰＵ１２に接続されている。
【００２０】
ＣＰＵ１２は、ＲＯＭ３４に記録された各種制御プログラムに基づいて、ＬＣＤドライバ３１、及び光源１７等の作動制御を統括する。すなわち、ＣＰＵ１２は、入力部３６からの操作信号に基づいて、ＲＯＭ３４から操作信号に対応する各種アプリケーションソフトウェアの制御プログラムを読み出し、この読み出した制御プログラムに基づいて、各種画像データをＬＣＤドライバ３１に出力してＬＣＤパネル８に表示させるとともに、ＲＡＭ３４へのデータの書き込みやそのデータの読み出し等を行う。
【００２１】
さらにＣＰＵ１２は、タッチパネル９による文字や図形の入力操作があったときには、ＲＯＭ３４から読み出した文字認識や図形作成用のアプリケーションソフトウェアに基づく画像をＬＣＤドライバ３１に出力して、対応する文字や図形をＬＣＤパネル８に表示する。
【００２２】
本実施形態の液晶表示装置２は、図５、及び図６に示すようなオーバーヘッドプロジェクタ４０のステージ部４１に載置されて使用される。このとき、液晶表示装置２は、バックライトユニット４が取り外され、装置本体３及びスタイラスペン５のみが使用される。
【００２３】
オーバーヘッドプロジェクタ４０は、基台となる箱形状のハウジング４２と、このハウジング４２の背面側に組み付けられた支柱４３と、この支柱４３に沿って上下方向で移動自在とされた投影ヘッド４４とから構成されている。また、ハウジング４２の下面には、オーバーヘッドプロジェクタ４０を支持するとともに移動時に用いられる車輪４５が設けられている。
【００２４】
ハウジング４２の内部には、詳しくは図６に示すように、下方から光源４８，コンデンサレンズ４９が組み込まれ、上方部には、ステージ部４１が配置されている。光源４８は、ランプ５１とリフレクタ５２とからなり、ブラケット５３に保持されてハウジング４２の底面に取り付けられており、ランプ５１の光を上方に向けて照射するように配置されている。コンデンサレンズ４９は、ブラケット５４に保持されて光源４８の上方に配置されており、光源４８からの光を集光してステージ部４１に向けて照射する。なお、図示していないが、ハウジング４２の内部で光源４８の近傍には、光源４８を冷却する冷却ファンや電源ユニット等が配置されている。また、ハウジング４２の前面あるいは側面の外壁には、電源スイッチ等が設けられている。
【００２５】
ステージ部４１は、２枚のフレネルレンズ５６，５７と、被投影物が載置されるガラス板５８と、これらを保持する保持枠５９とから構成されており、保持枠５９は、ハウジング４２と一体に設けられている。
【００２６】
本実施形態では、ステージ部４１の上面に被投影物として装置本体３を載置し、この装置本体３のＬＣＤパネル８に表示される画像を投影するようにしている。装置本体３は、前面側が上方を向くようにしてステージ部４１上にセットされる。
【００２７】
投影ヘッド４４は、ハウジング３の背面側に組み付けられた支柱４３に取り付けられる取付部６３と、ステージ部４１上のＬＣＤパネル８をスクリーン６４に向けて投影する投影部６５とから構成されている。
【００２８】
取付部６３は、支柱４３が挿通される筒形状となっており、一方の側面には投影ヘッド４４を支柱４３に沿って上下移動する際に用いられるヘッド用操作ノブ６８が回転自在に組み付けられている。このヘッド用操作ノブ６８には、取付部６３内に配置されるピニオンギヤ（図示せず）が同軸で設けられており、このピニオンギヤは支柱４３の前面側に形成されたラックギヤ（図示せず）に噛合する。投影ヘッド４４は、ヘッド用操作ノブ６８を回転操作することにより、ピニオンギヤとラックギヤとの噛合によって上下方向で移動自在となっている。
【００２９】
投影部６５は、ステージ部４１の中央に正対するように配置されており、ステージ部４１を介してＬＣＤパネル８の画像を照明した照明光を集光する投影レンズ７２と、この投影レンズ７２を通過した光をスクリーン６４に向けて反射する反射ミラー７３とからなる。このオーバーヘッドプロジェクタ４０は、スクリーン６４上の投影画像の焦点合わせをスクリーン６４とオーバーヘッドプロジェクタ４０との間の距離の調節と、ステージ部４１に対する投影ヘッド４４の高さ位置の調節によって行う。
【００３０】
次に、上記実施形態の作用について説明する。例えば、広い会場内で多人数に対してプレゼンテーションを行う場合には、図６に示すように、オーバーヘッドプロジェクタ４０をスクリーン６４に対峙させる。そして、ステージ部４１上には、装置本体３を載置する。
【００３１】
オーバーヘッドプロジェクタ４０の電源を投入すると、光源４８のランプ５１が点灯し、このランプ５１から照射された光がコンデンサレンズ４９，フレネルレンズ５６，５７及びガラス板５８を介してＬＣＤパネル８の表示画像を照明し、この照明光が投影レンズ７２，反射ミラー７３からなる投影部６５によってスクリーン６４上に投影される。そして、スクリーン６４上の投影状態を確認しながら、スクリーン６４に対するオーバーヘッドプロジェクタ４０の位置合わせと、投影ヘッド６４の高さ調節とを行う。
【００３２】
焦点合わせ後には、スクリーン６４上にＬＣＤパネル８に表示されている画像が鮮明に投影されるので、スクリーン６４上あるいはＬＣＤパネル８上の画像を直接指し示しながら、プレゼンテーションを行うことができる。またプレゼンテーションを行うようなときには、図５に示すような状態で、使用者７５がスタイラスペン５を使用してのタッチパネル９への入力操作、又は操作ボタン１１ａ〜ｃによる入力操作で、ＬＣＤパネル８に表示される画像を切り替えたり、文字や図形を入力表示したりすることができるので、スクリーン６４上に、多くの画像、文字、及び図形など多彩な表示を行うことが可能であり、効果的なプレゼンテーションを行うことが可能である。また、ＬＣＤパネル８として狭視野角型のものを使用しているので、ＬＣＤパネル８上の画像を指し示すときや、スタイラスペン５による入力操作を行うようなときに、ランプ５１からの光が拡散して使用者７５の目が眩しくなるようなことがなく、スムーズに入力操作を行うことができる。
【００３３】
以上で説明したように、バックライトユニット４を装置本体３に対して着脱自在とし、装置本体３の背面側にＬＣＤパネル８を露呈させる開口部２４を設けたので、バックライトユニット４を取り外した状態の装置本体３をオーバーヘッドプロジェクタ４０のステージ部４１に載置したとき、光源４８からの照明光がＬＣＤパネル８を透過することができる。これにより、専用の液晶表示装置を用意することなく、液晶表示装置２のＬＣＤパネル８に表示された画像をスクリーン６４へ投影することが可能となる。また、液晶表示装置２からバックライトユニット４を取り外すだけで、オーバーヘッドプロジェクタ４０に使用することができるので、部品点数の増加を防いでローコスト化を図ることが可能となる。
【００３４】
なお、上記第１実施例においては、携帯情報端末装置や携帯型パーソナルコンピュータなど、液晶表示装置を、単体で使用する装置に適用した場合を例に上げているが、本発明はこれに限るものではなく、パーソナルコンピュータなどの入力装置として適用してもよい。以下では、液晶表示装置８０をパーソナルコンピュータ８１の入力装置として適用した第２の実施例を、図７及び図８を用いて説明する。なお、図７及び図８においては、上記第１実施例と同様の部品、及び部材を使用しているものには、同符号を付して説明を省略する。
【００３５】
図７に示すように、液晶表示装置８０は、パーソナルコンピュータ８１の入力装置として使用されるものであり、装置本体８２、バックライトユニット４、及びスタイラスペン５から構成される。装置本体８２には、上記第１実施例と同様にＬＣＤパネル８、タッチパネル９、操作ボタン１１ａ〜ｃが設けられており、電源としてのバッテリ１５、及び回路基板８３が内蔵されている。さらに、バックライトユニット４は、上記例と同様に、装置本体８２に対して着脱自在であり、バックライトユニット４を取り外したときには、ＬＣＤパネル８の背面側を露呈される開口部２４が装置本体８２に形成されている。
【００３６】
図８は、液晶表示装置２の制御部８４の電気的構成を示すものである。制御部８４は、上記第１実施例例の制御部１３の代わりに、装置本体８２に内蔵された回路基板８３に形成されている。ＬＣＤパネル８は、ＬＣＤドライバ３１を介して無線ＬＡＮインターフェース８５に接続されている。さらに、無線ＬＡＮインターフェース８５には、タッチパネル９及び操作ボタン１１ａ〜ｃからなる入力部９、及び接続コネクタ２６、バッテリ１５が接続されている。なお、接続コネクタ２６には、バックライトユニット４の接続端子２７が嵌合する。これによって、上記第１実施例と同様に装置本体８２とバックライトユニット４とが電気的に接続する。
【００３７】
無線ＬＡＮインターフェース８５は、有線ケーブルを使わず、電波などを発生して、無線でパーソナルコンピュータ８１と通信するためのものであり、例えばＩＥＥＥ８０２．１１ｂ規格や、Ｂｌｕｅｔｏｏｔｈ規格のものなどを使用する。そして、この無線ＬＡＮインターフェース８５を介してパーソナルコンピュータ８１と液晶表示装置８０とが接続し、パーソナルコンピュータ８１が、液晶表示装置８０の作動制御を行うことが可能となる。すなわち、入力部９から入力された操作信号は、無線ＬＡＮインターフェース８５を介してパーソナルコンピュータ８１へ送られ、操作信号を受けたパーソナルコンピュータ８１は、操作信号に基づいて制御プログラムを読み出し、ＬＣＤパネル８に表示させる画像データを出力して無線ＬＡＮインターフェース８５に送る。画像データを受け取った無線ＬＡＮインターフェース８５は、その画像データをＬＣＤドライバ３１に出力してＬＣＤパネル８に表示させる。このようにして、ＬＣＤパネル８に様々な画像を表示することができるので、上記第１実施例と同様に、オーバーヘッドプロジェクタ４０にセットしてＬＣＤパネル８に表示された画像を投影することができる。
【００３８】
【発明の効果】
以上説明したように、本発明の液晶表示装置では、光源及び導光板からなるバックライトユニットを、液晶ディスプレイパネルを内蔵した装置本体に対して着脱自在とするとともに、この装置本体からバックライトユニットを取り外したときに液晶ディスプレイパネルの背面側を露呈させる開口部を装置本体に形成しているので、オーバーヘッドプロジェクタにセットして画像を投影する液晶表示装置をローコストに提供することが可能であり、かつオーバーヘッドプロジェクタ専用の液晶表示装置を用意する必要がない。
【００３９】
また、請求項２記載の液晶表示装置では、前記装置本体に、入力操作を行うための入力手段と、前記入力手段による入力操作に基づいて液晶ディスプレイパネルに画像を表示させる画像表示制御手段とを設けているので、オーバーヘッドプロジェクタにセットし、液晶ディスプレイパネルに表示された画像の投影を行なうとき、様々な画像を表示して投影する操作を容易に行うことが可能となる。
【００４０】
請求項３記載の液晶表示装置では、液晶ディスプレイパネルは、狭視野角型の液晶ディスプレイからなるので、オーバーヘッドプロジェクタにセットして画像の投影を行なうとき、液晶ディスプレイパネルを指し示したり、入力操作を行うようなとき、光が拡散して使用者の目に入ることを防ぐことができる。
【図面の簡単な説明】
【図１】本発明の液晶表示装置を示す正面側外観斜視図である。
【図２】バックライトユニットを取り外したときの液晶表示装置を示す背面側外観斜視図である。
【図３】液晶表示装置の要部断面図である。
【図４】液晶表示装置の電気的構成を示すブロック図である。
【図５】液晶表示装置をオーバーヘッドプロジェクタに載置したときの状態を示す斜視図である。
【図６】液晶表示装置をオーバーヘッドプロジェクタに載置したときの構成を示す要部断面図である。
【図７】液晶表示装置の第２の実施例を示す外観斜視図である。
【図８】第２の実施例の電気的構成を示すブロック図である。
【符号の説明】
２  液晶表示装置
３  装置本体
４  バックライトユニット
８  ＬＣＤパネル
９  タッチパネル
１７  光源
１８  導光板
２４  開口部
【図１】
2004325658.tif 000003
【図２】
2004325658.tif 000004
【図３】
2004325658.tif 000005
【図４】
2004325658.tif 000006
【図５】
2004325658.tif 000007
【図６】
2004325658.tif 000008
【図７】
2004325658.tif 000009
【図８】
2004325658.tif 000010